(57)【要約】【課題】ＬＥＤ等の発光素子の点滅データの設定の手間を省くことのできる着信状態報知機能付き電話機を提供する。【解決手段】着信音を、予め用意されたパターンの中から選択可能な、あるいは任意に設定可能な着信音生成手段と、着信状態を点滅状態により報知する少なくとも１つの発光素子（着信ＬＥＤ６）を有する発光素子駆動手段とを有する着信状態報知機能付き電話機において、発光素子（着信ＬＥＤ６）を、着信音の音声信号と同期して点滅させることによって、発信者をユーザに報知するようにしたものであり、発光素子の点滅データの設定の手間を省くことができる。さらに、発光素子が点滅するので、着信音を出さない設定にしていても、遠くからの視認により発信者を認識することができる。【選択図】図１
2005094430.tif 000002
【特許請求の範囲】
【請求項１】
着信音を、予め用意されたパターンの中から選択可能な、あるいは任意に設定可能な着信音生成手段と、着信状態を点滅状態により報知する少なくとも１つの発光素子を有する発光素子駆動手段とを有する電話機において、
前記発光素子駆動手段に、前記発光素子を、前記着信音の音声信号と同期して点滅させる機能を備えたことを特徴とする着信状態報知機能付き電話機。
【請求項２】
前記発光素子駆動手段は、前記着信音がベル音であるときは当該ベル音のオンオフパターンに応じて前記発光素子を点滅させるようにしたことを特徴とする請求項１記載の着信状態報知機能付き電話機。
【発明の詳細な説明】
【技術分野】
【０００１】
本発明は、着信状態を音およびＬＥＤ（発光ダイオード）等の発光素子により報知する機能を備えた電話機に関する。
【背景技術】
【０００２】
電話機には、当然ながら、着信したことをユーザに報知する手段が設けられている。古くは、着信時にベルやスピーカにより一種類の着信音を鳴らしていたが、近年では、着信音あるいは着信メロディの種類を発信者毎、または発信者グループ毎に異なるように設定し、誰からかかってきたかを受話器を取らずに識別できる機能を持たせたものがある（例えば、特許文献１、段落０００２参照）。このようにすれば、電話機本体に設けられているＬＣＤ（液晶）表示器等による確認が不必要となる。
【０００３】
この着信音の設定に加え、ＬＥＤ（発光ダイオード）の色や表示パターンを予め携帯電話装置内に用意されている数種類の中から選択して設定する機能を持たせたものがある（同上特許文献１、段落０００２参照）。
【０００４】
さらに、複数のＬＥＤの点滅の組み合わせによる点灯色の変化のパターンと、その変化の周期とをユーザが任意に設定することのできる携帯電話の着信報知パターン設定方法が提案されている（同上特許文献１、段落００１６参照）。
【特許文献１】特許第３３９５７４１号公報（段落０００２、００１６）
【発明の開示】
【発明が解決しようとする課題】
【０００５】
前述の、ＬＥＤの色や表示パターンを、予め用意されている数種類の中から選択して設定する機能を持った電話機装置では、この機能を使用するためには、着信者毎またはグループ毎に表示パターンの設定を行う必要がある。また、その用意されたパターンのみに表示パターンが制限されてしまう。
【０００６】
その点、上述した着信報知パターン設定方法では、表示パターンを、ユーザが任意に設定できる利点がある。しかしながら、その機能を利用してＬＥＤの色や表示パターンを設定するとき、ユーザは各々の発信者データに、着信音または着信メロディ、ＬＥＤと設定しなければならず、設定操作が面倒であるという問題があった。
【０００７】
本発明は、ＬＥＤ等の発光素子の点滅データの設定の手間を省くことのできる着信状態報知機能付き電話機を提供することを目的とする。
【課題を解決するための手段】
【０００８】
本発明は、着信状態報知機能付き電話機において、発光素子を、着信音の音声信号と同期して点滅させることによって、発信者をユーザに報知することを主要な特徴とする。
【０００９】
これにより、ユーザが着信音を設定するだけで、発光素子の点滅状態も自動的に発信者毎に変化することになる。
【００１０】
ここで、「電話機」には、固定電話機および携帯電話機を含む。
【発明の効果】
【００１１】
以上のように本発明の着信状態報知機能付き電話機は、着信音の音声信号と同期して点
滅させるようにしたことにより、発光素子の点滅データの設定の手間を省くことができる。
【００１２】
さらに、発光素子が点滅するので、着信音を出さない設定にしていても、遠くからの視認により発信者を認識することができる。
【発明を実施するための最良の形態】
【００１３】
本発明は、着信状態報知機能付き電話機において、発光素子の点滅データの設定の手間を省くという目的を、着信音の音声信号と同期して点滅させるようにしたことにより実現した。
【００１４】
上記課題を解決するためになされた第１の発明は、着信音を、予め用意されたパターンの中から選択可能な、あるいは任意に設定可能な着信音生成手段と、着信状態を点滅状態により報知する少なくとも１つの発光素子を有する発光素子駆動手段とを有する電話機において、前記発光素子駆動手段に、前記発光素子を、前記着信音の音声信号と同期して点滅させる機能を備えたことを特徴とする着信状態報知機能付き電話機としたものであり、着信音を選択ないし設定するだけで、発光素子の点滅パターンも自動的に決定されるので、設定の手間を省くことができる。
【００１５】
上記課題を解決するためになされた第２の発明は、第１の発明において、発光素子駆動手段は、着信音がベル音であるときは当該ベル音のオンオフパターンに応じて発光素子を点滅させるようにしたもので、着信音を選択ないし設定するだけで、発光素子の点滅パターンも自動的に決定されるので、設定の手間を省くことができる。
【００１６】
以下、本発明の実施の形態について、各図に基づいて説明する。
【００１７】
なお、「発光素子」としては、電球、液晶表示器等の使用を禁じるものではないが、以下は、ＬＥＤを用いた場合について説明する。
【００１８】
図１は本発明の実施例の構成を示すブロック図、図２は本発明の実施例における信号処理のフローチャート、図３は本発明の実施例における着信音のオンオフとＬＥＤのオンオフの例を示すタイムチャートである。
【００１９】
図１に示すように、本実施例の着信状態報知機能付き電話機は、各ブロックの制御を行うＣＰＵ（中央処理装置）１と、他の電話（固定電話であるときは親機と子機間の通信を含む）との送受信を行う無線制御部２と、テンキーやファンクションキーの操作をＣＰＵ１に伝送するキーマトリックス３と、キー照明４と、ＣＰＵ１との間で信号の一時記憶やプログラム、着信音のパターン等の記憶を行うＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ５と、着信状態を表示する１個の着信ＬＥＤ６と、着信時にＣＰＵ１で生成された所定のパターンのベル信号アナログ信号として生成するベル回路７と、ベル回路７で生成された信号を音声信号として出力するスピーカホン８とを備えている。
【００２０】
次に、この実施例の動作について、図２のフローチャートを参照して説明する。
【００２１】
ステップ１において、着信があると、ステップＳ２において、ＣＰＵ１はメモリ５に保存された着信音鳴動開始信号を出力する。ステップＳ３において、ベル回路７にオン信号が出力されたかどうかを判定し、オン信号のときはステップＳ４において、着信ＬＥＤ６を点灯するように制御する。オフ信号のときはステップＳ５において、着信ＬＥＤ６を消灯するように制御する。
【００２２】
このようにして、ベル音に同期したオンオフ信号で着信ＬＥＤ６が駆動される。その状態を図３に示す。図３（ａ）では、ベル音が一定周期で連続して鳴動する場合に、着信ＬＥＤ６も一定周期で連続して点滅を繰り返すことを示している。図３（ｂ）では、ベル音がある周期でオンオフと休止期間を繰り返す場合に、着信ＬＥＤ６もある周期でオンオフと休止期間を繰り返すことを示している。
【００２３】
この実施例によれば、１個の着信ＬＥＤ６の点滅状態と、着信ベル音とが同期しているので、着信ベル音のオンオフパターンを覚えていれば、着信ベル音が聞こえなかったり、消したりしている場合でも、誰から着信しているかを判別することができる。
【産業上の利用可能性】
【００２４】
本発明は、ＬＥＤ等の発光素子の点滅データの設定の手間を省くことのできる着信状態報知機能付き電話機として利用することができる。
【図面の簡単な説明】
【００２５】
【図１】本発明の実施例の構成を示すブロック図
【図２】本発明の実施例における信号処理のフローチャート
【図３】本発明の実施例における着信音のオンオフとＬＥＤのオンオフの例を示すタイムチャート
【符号の説明】
【００２６】
１    ＣＰＵ
２    無線制御部
３    キーマトリックス
４    キー照明
５    メモリ
６    着信ＬＥＤ
７    ベル回路
８    スピーカホン
【図１】
2005094430.tif 000003
【図２】
2005094430.tif 000004
【図３】
2005094430.tif 000005